(57)【特許請求の範囲】
【請求項１】
少なくとも１つの突起を有するステントを圧縮する装置であって、
前記ステントを保持するために前記ステントのルーメン内に挿入できるマンドレルと、
前記マンドレルの近位端部近傍で、前記マンドレルに結合された突起圧縮器と、
前記突起圧縮器を前記マンドレル上に保持するため、前記マンドレルの近位端部近傍で、前記マンドレル上に設けられているノブと、を有し、
前記マンドレルは、前記突起圧縮器内に軸方向に延び、前記マンドレルは、前記突起圧縮器に対し回転自在であり、
前記マンドレル上に前記ステントを導入する前に、前記マンドレルは、前記ステントの前記ルーメンの少なくとも一部の内径よりも大きな外径を備えたステント固定ゾーンを有し、前記ステントを前記マンドレル上に保持するため、前記ステントが前記マンドレルの前記ステント固定ゾーン上に置かれたとき、前記マンドレルは前記ステントに摩擦係合するようになっており、
前記突起圧縮器は、前記ノブと前記ステント固定ゾーンとの間に捕捉され、
前記突起圧縮器は、掴み部分を備えたハブおよびカラーを備え、
前記ハブは軸方向に延びる穴を画定する側壁を有し、この軸方向に延びる穴内に前記マンドレルが延び、
前記カラーは前記ハブに同軸状に嵌められ、前記カラーはその遠位端部において延びるタブを備え、
前記タブは、前記カラーの中心軸に面する内向き面を有し、
前記カラーは、引っ込み位置と配備位置との間で、前記ハブ上での入れ子状運動が可能であり、
前記ハブは、前記軸方向に延びる穴の外側の前記側壁の外面に逃げスロットを有し、前記逃げスロットは、前記ハブの中心軸から反れて面する外向き面を有し、前記逃げスロットは前記側壁の遠位端部近傍において前記側壁に形成されており、前記逃げスロットは、前記タブと整列するように前記ハブ上に位置しており、
前記カラーが前記配備位置にあるとき、前記タブの前記内向き面および前記逃げスロットの前記外向き面は空間を隔てて互いに面しており、その空間には前記ステントの一部が収容でき、
前記タブは、前記タブの前記内向き面および前記逃げスロットの前記外向き面の間に、前記ステントの近位端部近傍を捕捉し、
前記ステントが前記タブおよび前記逃げスロットの間に捕捉されている際に、前記マンドレルが前記突起圧縮器に対し回転したとき、前記装置は、前記少なくとも１つの突起を圧縮することを特徴とする装置。
【請求項２】
前記マンドレルは、前記突起圧縮器を通って同軸に延びることを特徴とする請求項１記載の装置。
【請求項３】
前記掴み部分は前記ハブの近接部分よりも大きな直径を有し、前記ハブは前記ハブよりも小さな直径を有すると共に前記近接部分から遠位側に延びる支柱部を有し、
前記逃げスロットは、前記支柱部の側壁に備えられており、
前記カラーは段付きボアを有し、前記段付きボアは、前記ハブの前記近接部分とほぼ等しい直径を有する第１の部分、及び、前記支柱部とほぼ等しい直径を有する第２の部分を有することを特徴とする請求項２記載の装置。
【請求項４】
前記ステント固定ゾーンは、前記支柱部の直径とほぼ等しい外径を有することを特徴とする請求項３記載の装置。
【請求項５】
前記マンドレルは、前記ステント固定ゾーンに至るテーパ付き端部を有し、前記テーパ付き端部は、前記マンドレルを前記ステントの前記ルーメン内に挿入したり前記ステントを前記ステント固定ゾーンに嵌めるのを助けることを特徴とする請求項４記載の装置。
【請求項６】
前記突起圧縮器は、前記ノブと前記ステント固定ゾーンとの間に捕捉されることを特徴とする請求項４記載の装置。
【請求項７】
前記カラーは、これを通って前記ハブに設けられている細長いスロット内に延びるピンにより前記掴み部分に対して回転するのが阻止され、前記スロット及びピンは、前記カラーを前記スロットによって制限された移動長さに沿って前記ハブ上での入れ子状運動に拘束することを特徴とする請求項１記載の装置。
【請求項８】
ユーザが前記カラーを掴んで前記タブの配備及び引っ込みを助けるようにするフランジが前記カラーから外方に延びていることを特徴とする請求項７記載の装置。
【請求項９】
少なくとも１つの突起を有するステントを圧縮する装置であって、
前記ステントを保持するために前記ステントのルーメン内に挿入できるマンドレルと、
前記マンドレルに結合された突起圧縮器と、
前記マンドレルの端部に設けられているノブと、を有し、
前記マンドレルは前記突起圧縮器に対し回転可能であり、
前記突起圧縮器は、前記突起圧縮器から前記マンドレルに向かって延びるタブを有し、
前記マンドレルが前記突起圧縮器に対して回転したとき、前記タブは、前記ステントの前記少なくとも１つの突起を前記ステントの前記ルーメンに向かって内側に押圧し、
前記マンドレルは、前記突起圧縮器を通って、同軸状に延び、
前記ノブは、前記マンドレルが回転することを助けて、前記突起圧縮器を前記マンドレル上に保持させ、
前記マンドレル上に前記ステントを導入する前に、前記マンドレルは、前記ステントの前記ルーメンの少なくとも一部の内径よりも大きな外径を備えたステント固定ゾーンを有し、前記ステントを前記マンドレル上に保持するため、前記ステントが前記マンドレルの前記ステント固定ゾーン上に置かれたとき、前記マンドレルは前記ステントに摩擦係合するようになっており、
前記突起圧縮器は、前記ノブと前記ステント固定ゾーンとの間に捕捉され、
前記突起圧縮器は、掴み部分を備えたハブ、中空の支柱部、及び、カラーを備え、
前記カラーは前記ハブに同軸状に嵌められ、前記カラーはその遠位端部において前記カラーから延びる前記タブを備え、
前記タブは、前記カラーの中心軸に面する内向き面を有し、
前記カラーは、これを通って前記ハブに設けられている細長いスロット内に延びるピンにより前記掴み部分に対して回転するのが阻止され、
前記スロット及びピンは、前記カラーを前記スロットによって制限された移動長さに沿って前記ハブ上での入れ子状運動に拘束すると共に、前記タブについて引っ込み位置と配備位置を定め、
ユーザが前記カラーを掴んで前記タブの配備及び引っ込みを助けるようにするフランジが前記カラーから外方に延びており、
前記中空の支柱部は逃げスロットを有し、前記逃げスロットは、前記ハブの中心軸から反れて面する外向き面を有し、前記逃げスロットは、前記中空の支柱部内の中空部の遠位側であって、前記中空の支柱部の遠位端近傍であり、前記中空の支柱部の外側の側壁に形成されており、
前記逃げスロットは、前記タブが前記配備位置にあるとき、前記タブと整列するように前記中空の支柱部上に位置しており、
前記タブの前記内向き面および前記逃げスロットの前記外向き面は空間を隔てて互いに面しており、その空間には前記ステントの一部が収容でき、
前記装置が前記少なくとも１つの突起を圧縮するとき、前記タブは、前記タブの前記内向き面および前記逃げスロットの前記外向き面の間に、前記ステントの近位端部近傍を捕捉することを特徴とする装置。
【請求項１０】
前記掴み部分と前記ノブとの間に設けられたボールと戻止めのインタフェースを更に有し、前記ボールと戻止めのインタフェースは、前記掴み部分と前記ノブとの相対回転を制御することを特徴とする請求項９記載の装置。
【請求項１１】
前記ステントの前記少なくとも１つの突起は、前記ステントの端部のところに設けられた少なくとも１つの拡大コイルであり、前記装置は、前記カラー部分を前記配備位置まで前方に押して前記拡大コイルを前記タブと前記逃げスロットとの間に捕捉し、前記ノブ及び前記マンドレルを前記突起圧縮器に対して回転させることにより前記拡大コイルを内方に押圧することを特徴とする請求項１０記載の装置。
【請求項１２】
前記カラーから前記フランジの遠位側へ延びるスリーブを更に有し、前記タブは、前記スリーブから延びていることを特徴とする請求項１１記載の装置。
【発明の詳細な説明】
【技術分野】
【０００１】
本発明は、コイル状ステントを圧縮し、特に、挿入前にステントの特定の端部を挿入装置内又は身体内で直接圧縮するために用いられる装置に関する。
【背景技術】
【０００２】
老人の間でよく見られる下尿路症状（ＬＵＴＳ）は、尿閉又は尿貯留及び貯留の結果としての合併症をもたらす場合のある種々の障害を含んでいる。ＬＵＴＳ診断に属する状態の幾つかとしては、前立腺肥大、ＢＰＨ（良性前立腺肥大）、膀胱出口閉塞症がある。
【０００３】
前立腺肥大による尿道の狭窄は、前立腺尿道ステントの植え込みにより治療できる。ステントは、前立腺尿道を排尿が可能になるよう開存状態に保持するのに役立つ。これは典型的には、矯正治療前又は後に用いられる当座の解決策であり、例えば、治療後水腫が軽減している状態で尿道を開存状態に維持するためにステントを放射線治療、温熱療法又は冷凍外科の実施後に植え込むのがよい。場合によっては、ステントを一時的治療として植え込む場合がある。
【０００４】
一般に、尿道ステントは、形状が管状であり、中実チューブ、コイル状ワイヤ、リボン又はメッシュの形態をしており又は編組フィラメントから作られる場合がある。コイル状ステントは、その少なくとも一部が平均的な尿道管腔直径に等しく又はこれよりも大きい直径を備えるよう設計される場合があり、したがって、ステントは、拡張時、これが挿入されている尿道に摩擦係合するようになっている。かかるステントの大径コイルは、ステントを運搬システム、例えばカテーテルシース内への挿入前に半径方向に圧縮させることが必要である。尿道内に配置された後、尿道ステントは、典型的には熱又は機械的手段によりこれらの最終形状に半径方向に拡張させ又は自己拡張型ステントの場合、シース又は他の拘束手段を抜去すると、弾性的に拡張するようにする。
【０００５】
ブレーネマン等（米国特許第５，１６０，３４１号明細書）が、静止管状ブッシュ内に支承された回転自在なロッドを包囲する引っ込み可能なシースを有する装置を開示している。ステントの一端部は、ロッドに取り付けられ、ステントの他端部は、ブッシュに固定されていて、ロッドとブッシュの相対回転により、ステント全体をいっそう緊密にコイル状にすることによりステント全体が圧縮されるようになっている。身体内への挿入後、ロッド及びブッシュを逆方向に回転させてステントを弛めてその元の直径に戻す。剪断縁部を備えた剪断スリーブをロッドとブッシュとの間に前進させてステントをブッシュ及びロッドへのその取付け部から切断する。
【０００６】
上述の装置では、ステントの両端部は、尿道に係合するために用いられ、ステント長さ全体に沿う直径を減少させる。したがって、ステント直径の減少の結果として、これに伴って縮径領域の長さが増大する。ステント長さ全体に沿うステント直径の減少の結果として縮径の際、サイズ変更の際、丸めた際に長さが相当増大し、その結果解剖学的構造内における配置上の問題が生じる。或る幾つかのコイルステント設計では、ステントの端部のみが漸変直径を有する。ステントを塑性変形又はクリープの恐れに起因する不必要な力にさらすことは特にポリマー製ステントの場合望ましくない。また、尿道内への剪断縁部を備えた剪断スリーブの導入と関連した危険性、例えば破損、汚染及び（又は）損傷がある。加うるに、ステントの切断端部は、尖鋭であり、尿道を穿刺する恐れがある。
【０００７】
ヤシア等（米国特許第５，２４６，４４５号明細書）は、ステントの長さに沿う１以上のコイルが円周方向に膨出するよう非一様な巻線を備えたステントを開示している。ステントのいずれか一方の端部を固定し、トルクを掛けることにより膨出部を半径方向に圧縮する装置が開示されている。この場合も又、ステントの長さ全体を減少させるのに螺旋の端部を逆方向に回転させる。小さなフック、リング又はボールがステントを掴むためにステントの各端部のところに設けられている。これらの特徴により、ステントを通る遮られない流れ容量が低下し、製造の複雑さが増す。ステントを解除するのに逆方向回転が必要である。
【０００８】
ライモン（米国特許第５，４７６，５０５号明細書）は、同軸状に配置されている内側及び外側可撓性シャフトから形成されたカテーテルを有するステント運搬システムを開示しており、シャフトの遠位端部は、コイル状ステントの端部に係合するスロット又は孔を有している。密なコイル巻きを生じさせることによりステントの全長が達成される。装置を逆方向に回転させてステントを拡張させてこれを解除する。
【０００９】
【特許文献１】米国特許第５，１６０，３４１号明細書
【特許文献２】米国特許第５，２４６，４４５号明細書
【特許文献３】米国特許第５，４７６，５０５号明細書
【発明の開示】
【発明が解決しようとする課題】
【００１０】
したがって、ステント全体を圧縮することなくコイル状ステントの選択された領域を半径方向に圧縮できることが望ましい。かかる装置は、ステントを補助挿入ツール内に又は身体内に直接配置しやすいようにするよう用いることができる。
【課題を解決するための手段】
【００１１】
ステントを圧縮する先行技術の装置の欠点は、本発明によって解決され、本発明は、少なくとも１つの突起を備えたコイル状ステントを圧縮する装置である。この装置は、ステントを保持するためにステントのルーメン内に挿入できるマンドレル及びマンドレルに結合されたコイル圧縮器を有する。マンドレルは、コイル圧縮器に対し軸線を中心として回転自在であり、コイル圧縮器は、これからマンドレルに向かって延びるタブを有している。タブは、マンドレルをコイル圧縮器に対して回転させると、ステントの突起をステントのルーメンに向かって内方に押圧する。
【発明の効果】
【００１２】
マンドレル及び突起圧縮器を有する本発明のステント圧縮装置の構成によれば、コイル状ステント全体を圧縮することなくその選択された領域を半径方向に圧縮できるので長さがそれほど増大せず、かくしてステントを解剖学的構造、例えば尿道内に配置してもこれを損傷させる恐れが最小限に抑えられる。
【発明を実施するための最良の形態】
【００１３】
本発明の新規な特徴は、図面を参照して以下の説明を読むと明らかになろう。なお別々の図中の同一の要素は、同一の参照符号で示されている。
【００１４】
図１〜図９は、ステント全体をその長さに沿って半径方向に圧縮することなく、コイル状ステント８０の選択された大径の半径方向に拡張されたコイル８６（図６参照）を半径方向に圧縮する際に用いられるステント縮径器１０を示している。ステント８０は、全体として円筒形のコイルの形をしており、例えば、２００３年６月２４日に出願され、エシコン・インコーポレイテッドに譲渡された米国特許出願第１０／６０２，３３８号明細書（発明の名称：Biodegradable stent）に記載されたステントであり、かかる米国特許出願明細書の記載内容を本明細書の一部を形成するものとしてここに引用する。
【００１５】
ステント８０は、遠位端部８４及び近位端部８２を有している。「近位」及び「遠位」は、ステント縮径器１０の方向性から見ると逆であることに注目されたい。というのは、ステント８０に適用される従来の言い方は、ステント８０を留置する患者の膀胱に関しているからである。遠位端部８４の直径は、半径方向に拡張されたコイル８６に起因してステント８０の残部よりも大きい。コイル状ステント８０の２以上の完全なターンが図６において拡大されているが、ステント８０のこれよりも少ない数又は多い数の完全なターンを拡大してもよい。図１に示すように、ステント縮径器１０は、マンドレル２０を有し、このマンドレルは、コイル状ステント８０のルーメン８１（図６参照）内へのマンドレル２０の挿入を容易にするテーパ付き遠位端部２２、近位端部２４及びステント固定又は保持ゾーン２６を有している。ステント固定ゾーン２６の直径は、ステント８０の少なくとも或る部分の内径と同一又はこれよりも僅かに大きく、したがってマンドレル２０をステント８０内に挿入すると、ステント８０とステント固定ゾーン２６との間に締り嵌め関係が確立されるようになっている。好ましくは、ステント８０を抵抗が最小限の状態で手作業でマンドレル上で回転させることができる。ステント８０は螺旋の形状をしているので、マンドレル２０上のステント８０の手動回転は、ステント８０を螺合状態でマンドレル２０上でこれに沿って前進させるのに役立つことができる。ステント固定ゾーン２６の表面は、ステント８０とステント固定ゾーン２６との間に得られた締り嵌め／螺合様相互作用を促進するよう模様付きであるのがよい。マンドレル２０は、ステント８０の種々のサイズに対応するよう一体であってもよく又は複数のモジュール部分で構成されていてもよい。従来手段、例えばねじ山、スナップ嵌め継手等でモジュール部分を互いに連結することができる。ステント８０中の突起、例えば拡張状態のコイル８１を圧縮するラッチ組立体３０が、マンドレルノブ６０のようにマンドレル２０の近位端部２４に嵌まっている。
【００１６】
図２は、ラッチノブ４０及びラッチカラー５０を有するラッチ組立体３０の分解図である。ラッチノブ４０は、掴み部分４２、スロット４５を備えたハブ部分４４及び逃げ部４７を備えた支柱部分４６を有している。ラッチノブ４０は、マンドレルノブ６０の支柱６４が入り込む軸方向カニューレ挿入部４１を有し、又、この軸方向カニューレ挿入部により、マンドレル２０は、ラッチノブ４０を通って延びることができる。ラッチノブ４０は、その近位端部に設けられたボールプランジャ戻止め４９（図４参照）を有している。ラッチカラー５０は、ユーザの指がラッチカラーの位置を制御するために圧接するフランジ５２を有している。ピン５７は、ラッチカラー５０をハブ部分４４上に摺動自在に且つ同軸状に嵌めた後穴５８を通り、ピン５７の端部は、スロット４５内に受け入れられると共にラッチカラー５０をラッチノブ４０上に保持すると共にスロット４５の長さの範囲まで相対運動を可能にしている。ラッチカラー５０は、ラッチノブ４０のハブ４４及び支柱部分４６の外寸にほぼ等しい内寸を備えた段付き内部ボア５９を有している。スリーブ５４が、フランジ５２から延びており、このスリーブは、ステント８０に接触してこれを圧縮する遠位タブ５６を有している。
【００１７】
図３に示すように、タブ５６は、ラッチ組立体３０を形成するよう組み立てられると、逃げ部４７から張り出す。スロット４５の長さは、タブ５６が少なくとも部分的に逃げ部４７から張り出す箇所まで遠位側への方向におけるラッチノブ４０の軸方向運動範囲を制限する。
【００１８】
図４は、マンドレルノブ６０を示しており、このマンドレルノブは、マンドレル２０の近位端部２４を受け入れるマンドレルボア６５を備えた掴み部分６２を有している。マンドレル２０は、止めねじ（図示せず）をねじ山付きボア６６に挿入してこれがその近位端部２４に当接することにより保持される。ボールプランジャ６８又はこれに類似したばね−テープ弾性部材（図示せず）が嵌合相手のボア６９内に受け入れられている。戻止め４９は、ラッチノブ４０の近位表面４３上に設けられていて、ラッチノブ４０に対するマンドレルノブ６０及びマンドレル２０の軸方向回転を制御するようボールプランジャ６８を受け入れる。図４は、タブ５６が逃げ部４７から引っ込められた近位位置に引っ込められたラッチノブ４０を示している。
【００１９】
図５は、完全組み立て状態のステント縮径器１０を示している。ステント固定ゾーン２６の直径は、支柱部分４６の直径とほぼ同一である。これにより、ラッチ組立体３０がマンドレル２０から滑り落ちることがないようになる。図６は、ステント８０の遠位端部８４上の半径方向拡張状態のコイル８６を圧縮する前におけるステント縮径器１０のマンドレル２０上の定位置にあるステント８０を示している。
【００２０】
図７〜図１０は、ステント縮径器１０の断面図であり、このステント縮径器をどのように用いればステント８０の遠位端部８４のところでの拡大状態のコイル８６の直径が減少するか及びステント８０がシース９０内に装填されるかを示している。図７では、マンドレル２０は、ステント８０のルーメン内に挿入されている。ステント８０の遠位端部８４の拡大コイル８６は、ステント８０の残部よりも直径が大きく、近位側への方向にステント固定ゾーン２６を越えて延びている。ラッチカラー５０は、ラッチノブ４０上に近位側に位置決めされ、したがってタブ５６が逃げ部４７からずれた位置に引っ込められるようになっている。
【００２１】
図８は、ラッチカラー５０を前方に押した結果としてのステント８０の縮径遠位端部８４を示しており、したがって、タブ５６は、拡大コイル８６の外面上に延び、これをタブ５６と逃げ部４７との間に捕捉するようになっている。次に、ユーザは、マンドレルノブ６０及びラッチノブ４０を掴み、マンドレルノブ６０をラッチノブ４０に対して軸方向に回転させてステント８０の遠位端部８４の直径を減少させる。ボールプランジャ６８及びボールプランジャ戻止め４９（図４）は、ステント８０の過剰回転を回避するよう別々の締め付け段階を定める制御された相対回転をもたらす。拡大コイル８６の外径をいったん減少させると、ステント８０をシース９０内に挿入することができる。ステント８０をシース９０内へ完全に挿入すると、即ちシースの近位端部９２を越えて挿入すると、ユーザは、ラッチカラー５０を遠位側に引っ張り、拡大コイル８６に対するその保持状態を解除し、シースが拡大コイルに摩擦掴み作用を与えた状態で拡大コイルが拡張することができるようにする。次に、マンドレル２０をステントルーメン８１から抜去し、後にはステント８０がシース９０内に配置された（装填された）状態になる。図１０は、マンドレル２０の抜去後におけるシース９０内におけるステント８０を示している。
【００２２】
本発明の具体的な実態様は、以下の通りである。
（１）少なくとも１つの突起を有するステントを圧縮する装置であって、ステントを保持するためにステントのルーメン内に挿入できるマンドレルと、前記マンドレルに結合された突起圧縮器とを有し、前記マンドレルは、前記突起圧縮器に対して回転自在であり、前記突起圧縮器は、これから前記マンドレルに向かって延びるタブを有し、前記タブは、前記マンドレルを前記突起圧縮器に対して回転させると、ステントの少なくとも１つの突起をステントのルーメンに向かって内方に押圧することを特徴とする装置。
（２）前記マンドレルは、前記圧縮器を通って同軸に延びることを特徴とする上記実施態様（１）記載の装置。
（３）前記マンドレルを回すのを助けるよう前記マンドレルの端部に設けられていて、前記突起圧縮器を前記マンドレル上に保持するノブを更に有していることを特徴とする上記実施態様（２）記載の装置。
（４）前記マンドレルは、ステントのルーメンの少なくとも一部の内径にほぼ等しい外径を備えたステント固定ゾーンを有し、前記ステント固定ゾーンは、ステントをステント固定ゾーンを覆った状態でマンドレルに嵌めると、ステントに摩擦係合することを特徴とする上記実施態様（３）記載の装置。
（５）前記マンドレルは、前記ステント固定ゾーンに至るテーパ付き端部を有し、前記テーパ付き端部は、マンドレルをステントのルーメン内に挿入したりステントをステント固定ゾーンに嵌めるのを助けることを特徴とする上記実施態様（４）記載の装置。
【００２３】
（６）前記突起圧縮器は、前記ノブと前記ステント固定ゾーンとの間に捕捉されることを特徴とする上記実施態様（４）記載の装置。
（７）前記突起圧縮器は、ハブ及びカラーを備えた掴み部分を有し、前記カラーは前記ハブに同軸状に嵌められ、前記タブは、前記カラーからその遠位端部のところで延びており、前記カラーは、これを通って前記ハブに設けられている細長いスロット内に延びるピンにより前記掴み部分に対して回転するのが阻止され、前記スロット及びピンは、カラーを前記スロットによって制限された移動長さに沿って前記ハブ上での入れ子状運動に拘束すると共に前記タブについて引っ込み位置と配備位置を定めることを特徴とする上記実施態様（６）記載の装置。
（８）ユーザが前記カラーを掴んで前記タブの配備及び引っ込みを助けるようにするフランジが前記カラーから外方に延びていることを特徴とする上記実施態様（７）記載の装置。
（９）前記掴み部分は、前記ハブから延びる中空支柱を有し、前記支柱は、その遠位端部に設けられた逃げスロットを有し、前記逃げスロットは、前記タブが配備位置にあるとき、前記タブと整列するよう前記支柱に設けられ、前記タブは、前記装置が少なくとも１つの突起を圧縮すると、ステントの少なくとも１つの突起を前記タブと前記逃げスロットとの間に捕捉することを特徴とする上記実施態様（８）記載の装置。
（１０）前記掴み部分と前記カラーとの間に設けられたボールと戻止めのインタフェースを更に有し、前記ボールと戻止めのインタフェースは、前記掴み部分と前記カラーとの相対回転を制御することを特徴とする上記実施態様（９）記載の装置。
【００２４】
（１１）ステントの少なくとも１つの突起は、ステントの端部のところに設けられた少なくとも１つの拡大コイルであり、前記装置は、前記カラー部分を配備位置まで前方に押して前記拡大コイルを前記拡大タブと前記逃げスロットとの間に捕捉し、ノブ及びマンドレルを前記突起圧縮器に対して回転させることにより拡大コイルを内方に押圧することを特徴とする上記実施態様（１０）記載の装置。
（１２）前記カラーから前記フランジの遠位側へ延びるスリーブを更に有し、前記タブは、前記スリーブから延びていることを特徴とする上記実施態様（１１）記載の装置。
（１３）少なくとも１つの外部突起を備えたコイル状ステントを圧縮する装置であって、ステントを保持する手段と、少なくとも１つの外部突起を圧縮する手段とを有し、前記圧縮手段は、前記保持手段に回転自在に結合されていて、これらの相対運動により少なくとも１つの突起が圧縮されるようになっており、前記圧縮手段は、ステントの軸線に垂直な力を及ぼすことによりステントに作用することを特徴とする装置。
（１４）前記ステント保持手段を掴んで前記保持手段を前記圧縮手段に対して回転させるのを助ける手段を更に有していることを特徴とする上記実施態様（１３）記載の装置。
（１５）前記ステント圧縮手段を掴む手段を更に有していることを特徴とする上記実施態様（１４）記載の装置。
【図面の簡単な説明】
【００２５】
【図１】本発明の実施形態のステント縮径器の分解図である。
【図２】図１のステント縮径器のラッチ組立体の分解図である。
【図３】図２のラッチ組立体の斜視図である。
【図４】図１〜図３のステント縮径器のラッチ組立体及びマンドレルノブの部分分解図である。
【図５】図１〜図４のステント縮径器の斜視図である。
【図６】マンドレルにステントが取り付けられた状態の図１〜図５のステント縮径器装置の斜視図である。
【図７】ＶＩＩ−ＶＩＩ断面線に沿って矢印の方向に見た図１〜図６のステント縮径器の部分断面図であり、遠位ステント直径の減少に先立ってマンドレルにステントが取り付けられた状態を示す図である。
【図８】図７と同様な断面図であるが、遠位ステント直径の減少後の図である。
【図９】ステントをシース内に装填しているときの図８と同様な断面図である。
【図１０】シース内に装填されたステントの断面図である。
【符号の説明】
【００２６】
１０  ステント縮径器
２０  マンドレル
２２  遠位端部
２４  近位端部
２６  ステント固定ゾーン
３０  ラッチ組立体
４０  ラッチノブ
４１  カニューレ挿入部
４２  掴み部分
４４  ハブ部分
４６  支柱部分
４７  逃げ部
５０  ラッチカラー
５２  フランジ
５４  スリーブ
【図１】
0004624097.tif 000002
【図２】
0004624097.tif 000003
【図３】
0004624097.tif 000004
【図４】
0004624097.tif 000005
【図５】
0004624097.tif 000006
【図６】
0004624097.tif 000007
【図７】
0004624097.tif 000008
【図８】
0004624097.tif 000009
【図９】
0004624097.tif 000010
【図１０】
0004624097.tif 000011